(57)【要約】【課題】本発明は、センサ取付板に形成した半径方向孔に連通する円状孔に、この円状孔の内径より大径の外径を有するフランジとセンサギアを有する回転センサ単体ユニットを簡単に固定することを目的とする。【解決手段】本発明による複数の回転センサ取付構造は、センサ取付板(1)の各半径方向孔(10)に連通する円状孔(12)を形成し、各回転センサ単体ユニット(3)にフランジ(4)を設け、前記各回転センサ単体ユニット(3)を各半径方向孔(10)を介して円状孔(12)内に装着することにより、各回転センサ単体ユニット(3)を組立後の状態でセンサ取付板(1)に簡単に取付けた構成である。【選択図】図１
2010054324.tif 000002
【特許請求の範囲】
【請求項１】
全体形状が円板状をなすセンサ取付板(1)と、前記センサ取付板(1)の軸中心に形成された軸孔(11)と、前記センサ取付板(1)に形成され半径方向(A)に沿って形成された複数の半径方向孔(10)と、前記各半径方向孔(10)に連通すると共に前記軸孔(11)側に形成された円状孔(12)と、前記各半径方向孔(10)の外側に位置する開口(10a)から前記各半径方向孔(10)内に挿入された回転センサ単体ユニット(3)と、前記各回転センサ単体ユニット(3)のセンサ軸(6)に設けられたセンサギア(7)と、前記各回転センサ単体ユニット(3)の前記センサギア(7)側に形成されたフランジ(4)と、前記軸孔(11)に設けられた駆動ギア軸(21)と、を備え、
前記センサギア(7)及びフランジ(4)の各フランジ外径(φDf)は、前記円状孔(12)の内径よりも大であり、前記各センサギア(7)は前記駆動ギア軸(21)のギア部(20)に噛合していることを特徴とする複数の回転センサ取付構造。
【請求項２】
前記センサギア(7)は、アンチバックギアよりなることを特徴とする請求項１記載の複数の回転センサ取付構造。
【発明の詳細な説明】
【技術分野】
【０００１】
本発明は、複数の回転センサ取付構造に関し、特に、センサ取付板に形成した半径方向孔に連通する円状孔に、この円状孔の内径より大径の外径を有するフランジとセンサギアを有する回転センサ単体ユニットを簡単に挿入固定するための新規な改良に関する。
【背景技術】
【０００２】
従来、用いられていたこの種の複数の回転センサ取付構造としては、社内製作のみで特許出願していないため、特許出願等は開示していないが、図３及び図４で示される構造が採用されていた。
【０００３】
すなわち、図３において符号１で示されるものはセンサ取付板であり、このセンサ取付板１の取付孔２には、レゾルバ、エンコーダ等の回転センサ単体ユニット３のフランジ４が設けられ、抜け止めリング５により前記フランジ４の固定が行われている。
【０００４】
前記回転センサ単体ユニット３のセンサ軸６が前記取付孔２を貫通して前方へ突出し、この突出したセンサ軸６の先端部６ａには、アンチバックギアからなるセンサギア７が嵌入されている。
尚、この取付孔２の内径とほぼ等しい前記フランジ４のフランジ外径φＤｆと前記センサギア７のギア外径φＤＧとは、φＤＧ＞φＤｆの関係に設定されている。
【発明の開示】
【発明が解決しようとする課題】
【０００５】
従来の回転センサ取付構造は、以上のように構成されていたため、次のような課題が存在していた。
すなわち、センサ取付板１の取付孔２に挿入するフランジ４のフランジ外径φＤｆよりもセンサギア７のギア外径φＤＧの方が大径であるため、センサギア７を付けた状態ではセンサ取付板１に取付けることができず、センサ取付板１の取付孔２に回転センサ単体ユニット３のフランジ４を取付けた後でなければ、センサ軸６にセンサギア７を取付けることができなかった。そのため、センサ軸６に対するセンサギア７の取付精度を高く保つことが困難であった。
また、回転センサ単体ユニット３をセンサ取付板１に取付けた状態で、センサ軸６にセンサギア７を手作業で取付けるため、取付作業に時間がかかると共に、精度良く組み込むことも困難であった。
【課題を解決するための手段】
【０００６】
本発明による複数の回転センサ取付構造は、全体形状が円板状をなすセンサ取付板と、前記センサ取付板の軸中心に形成された軸孔と、前記センサ取付板に形成され半径方向に沿って形成された複数の半径方向孔と、前記各半径方向孔に連通すると共に前記軸孔側に形成された円状孔と、前記各半径方向孔の外側に位置する開口から前記各半径方向孔内に挿入された回転センサ単体ユニットと、前記各回転センサ単体ユニットのセンサ軸に設けられたセンサギアと、前記各回転センサ単体ユニットの前記センサギア側に形成されたフランジと、前記軸孔に設けられた駆動ギア軸と、を備え、前記センサギア及びフランジの各フランジ外径は、前記円状孔の内径よりも大であり、前記各センサギアは前記駆動ギア軸のギア部に噛合している構成であり、また、前記センサギアは、アンチバックギアよりなる構成である。
【発明の効果】
【０００７】
本発明による複数の回転センサ取付構造は、以上のように構成されているため、次のような効果を得ることができる。
すなわち、全体形状が円板状をなすセンサ取付板と、前記センサ取付板の軸中心に形成された軸孔と、前記センサ取付板に形成され半径方向に沿って形成された複数の半径方向孔と、前記各半径方向孔に連通すると共に前記軸孔側に形成された円状孔と、前記各半径方向孔の外側に位置する開口から前記各半径方向孔内に挿入された回転センサ単体ユニットと、前記各回転センサ単体ユニットのセンサ軸に設けられたセンサギアと、前記各回転センサ単体ユニットの前記センサギア側に形成されたフランジと、前記軸孔に設けられた駆動ギア軸と、を備え、前記センサギア及びフランジの各フランジ外径は、前記円状孔の内径よりも大であり、前記各センサギアは前記駆動ギア軸のギア部に噛合していることにより、センサギアを取付けた状態の回転センサ単体ユニットを半径方向孔を介して半径方向に挿入することができ、センサ取付板に取付ける前に、高精度に完成された回転センサ単体ユニットを容易に設けることができる。
また、前記センサギアは、アンチバックギアよりなることにより、センサ取付板に設けた駆動ギアとのバツラッシュを防止することができる。
【発明を実施するための最良の形態】
【０００８】
本発明は、センサ取付板に形成した半径方向孔に連通する円状孔に、この円状孔の内径より大径の外径を有するフランジとセンサギアを有する回転センサ単体ユニットを簡単に挿入固定するようにした複数の回転センサ取付構造を提供することを目的とする。
【実施例】
【０００９】
以下、図面と共に本発明による複数の回転センサ取付構造の好適な実施の形態について説明する。
尚、従来例と同一又は同等部分には同一符号を用いて説明する。
図１及び図２において符号１で示されるものはセンサ取付板であり、このセンサ取付板１における複数個所には、その半径方向Ａに沿って切欠いた状態の半径方向孔１０が形成されている。
【００１０】
前記センサ取付板１の軸中心位置には、軸孔１１が形成され、前記各半径方向孔１０の前記軸孔１１側には、各半径方向孔１０と連通して円状をなす円状孔１２が形成されている。
【００１１】
前記各半径方向孔１０には、レゾルバ又はエンコーダ等からなる組立完了後の回転センサ単体ユニット３が矢印Ａで示す方向、すなわち、センサ取付板１の半径方向Ａに沿って前記半径方向孔１０の開口１０ａから内方に挿入することができるように構成されている。
【００１２】
前記回転センサ単体ユニット３の端部には、フランジ４及びセンサ軸６が設けられ、このセンサ軸６には、二枚のギアが位相をわずかにずらせた状態で重合されてなる周知のバックラッシュの発生を防止するためのアンチバックギアであるセンサギア７が設けられている。
【００１３】
前記フランジ４のフランジ外径φＤｆと前記センサギア７のギア外径φＤＧとは、φＤＧ＞φＤｆの関係に構成されている。
前記センサ取付板１の前記軸孔１１にはギア部２０を有する駆動ギア軸２１が固定して設けられており、前記各円状孔１２に装着された回転センサ単体ユニット３の各センサギア７が前記ギア部２０に各々噛合するように構成されている。
【００１４】
前記センサ取付板１の各円状孔１２に装着された各回転センサ単体ユニット３の各フランジ４のフランジ外径φＤｆは前記円状孔１２の内径より大であるため、前記各フランジ４又は取付板４Ａが円状孔１２の周縁１２ａに接触して円状孔１２から軸方向の一方向における軸方向の抜け止めとなって円状孔１２内に装着される。
【００１５】
前記各円状孔１２内へ装着された各回転センサ単体ユニット３の各センサギア７が前記ギア部２０に噛合していることにより、前記駆動ギア軸２１を回転させると、前記センサ取付板１に設けられた各回転センサ単体ユニット３が同時に回転して冗長系の回転センサを構成することができる。
従って、前記センサギア７を有する組立完了後の各回転センサ単体ユニット３をセンサ取付板１に取付ける場合は、各回転センサ単体ユニット３を矢印Ａの半径方向に沿って半径方向孔１０から円状孔１２内へ挿入して装着することにより、センサギア７を取付けた組立完了後の回転センサ単体ユニット３を極めて簡単にセンサ取付板１に取付けることができる。
【図面の簡単な説明】
【００１６】
【図１】本発明による複数の回転センサ取付構造を示す要部の分解斜視図である。
【図２】図１のセンサ取付板に駆動ギア軸と回転センサ単体ユニットが取付けられた状態を示す斜視図である。
【図３】従来の複数の回転センサ取付構造を示す断面図である。
【図４】図３の回転センサの取付状態を示す説明図である。
【符号の説明】
【００１７】
１    センサ取付板
３    回転センサ単体ユニット
４    フランジ
４Ａ    取付板
６    センサ軸
７    センサギア
１０    半径方向孔
１０ａ    開口
１１    軸孔
１２    円状孔
１２ａ    周縁
２０    ギア部
２１    駆動ギア軸
φＤＧ    ギア外径
φＤｆ    フランジ外径
【図１】
2010054324.tif 000003
【図２】
2010054324.tif 000004
【図３】
2010054324.tif 000005
【図４】
2010054324.tif 000006